(57)【特許請求の範囲】
【請求項１】
対向する波長多重光送信器および波長多重光受信器が光ファイバ伝送路および複数の光クロスコネクトを介してメッシュ状に接続され、前記光クロスコネクトが波長に応じた光パスを設定する光フィルタを備えた構成であり、設定経路中の光ファイバ伝送路に障害が発生したときに、光パス（波長）の再設定により障害箇所を回避する経路に切り替える光ネットワークシステムにおいて、
前記複数の光クロスコネクトのすべての光フィルタの入力波長に対する波長分散値を示す波長分散特性テーブルと、前記光パス中に存在する光フィルタを認識する手段とを有し、前記波長分散特性テーブルを参照して前記光パス中に存在する光フィルタの波長分散値を求め、それを相殺する分散補償量を算出する光フィルタ監視装置と、
前記波長多重光受信器の各波長対応の光受信器の前段に挿入され、所定の波長分散値の設定が可能な可変分散補償器と、
前記光フィルタ監視装置で算出された分散補償量に応じた波長分散を前記可変分散補償器に設定し、前記光パスの再設定により光パス中に存在する光フィルタが変化したときにその光フィルタによる波長分散を自動的に補償する分散補償量制御装置と
を備えたことを特徴とする光ネットワークシステム。
【請求項２】
前記光受信器の受信光信号の波長を検出し、その波長情報を前記光フィルタ監視装置に通知する波長計を備え、
前記光フィルタ監視装置は、前記波長情報に基づいて前記波長分散特性テーブルを参照し、前記光パス中に存在する光フィルタの波長分散値を求め、それを相殺する分散補償量を算出する構成である
ことを特徴とする請求項１に記載の光ネットワークシステム。
【請求項３】
前記光クロスコネクトは、前記光フィルタとして所定の波長の光を反射する少なくとも１つのファイバグレーティングフィルタを備えた
ことを特徴とする請求項１または請求項２に記載の光ネットワークシステム。
【請求項４】
前記可変分散補償器は、熱的に分散補償量を変化させるチャープドファイバグレーティングフィルタを用いた構成である
ことを特徴とする請求項１または請求項２に記載の光ネットワークシステム。
【請求項５】
対向する波長多重光送信器および波長多重光受信器が光ファイバ伝送路および複数の光クロスコネクトを介してメッシュ状に接続され、前記光クロスコネクトが波長に応じた光パスを設定する光フィルタを備えた構成であり、設定経路中の光ファイバ伝送路に障害が発生したときに、光パス（波長）の再設定により障害箇所を回避する経路に切り替える光ネットワークシステムにおいて、
前記光パス中に存在する光フィルタを認識し、
前記光パス中に存在する光フィルタに対する波長分散特性テーブルを参照してその波長分散値を求め、それを相殺する分散補償量を算出し、
前記分散補償量に基づいて受信光信号の分散補償を行い、前記光パス中に存在する光フィルタの波長分散によって生じた波形劣化を補償する
ことを特徴とする光ネットワークシステムの分散補償制御方法。
【発明の詳細な説明】
【０００１】
【発明の属する技術分野】
本発明は、複数の光クロスコネクトを介してメッシュ状に接続されたＷＤＭメッシュネットワークにおいて、光クロスコネクトを構成する光フィルタの分散に起因する伝送特性劣化を補償する光ネットワークシステムおよびその分散補償制御方法に関する。
【０００２】
【従来の技術】
ポイント・ツー・ポイントの長距離波長多重伝送システムでは、光ファイバ伝送路の波長分散と非線形光学効果の複合要因による波形劣化が伝送特性劣化の主要因になっている。この波形劣化の抑圧には、一定距離ごとに光ファイバ伝送路と逆の波長分散値を有する分散補償ファイバを光ファイバ伝送路中に配置し、さらに光ファイバの分散スロープに起因する累積分散は各光受信器の前段で分散補償ファイバ等により補償する方法が知られている（文献：分散マネジメントを用いた10Ｇbit/s/chＷＤＭ伝送システムの検討、信学技報、OCS96-57) 。
【０００３】
また近年、ポイント・ツー・ポイントの波長多重伝送システムにおいて、図８に示すように、対向する波長多重光送信器１と波長多重光受信器２を光ファイバ伝送路３と複数の光クロスコネクト（ＯＸＣ）４を介してメッシュ状に接続したＷＤＭメッシュネットワークが検討されている。このＷＤＭメッシュネットワークでは、波長を光パスとして扱い、図中太線で示す設定経路中の光ファイバ伝送路３に障害が発生したときに、光パス（波長）の再設定を行うことにより図中破線で示す障害箇所を回避する経路に切り替えることができ、ネットワークの信頼性を高めることができる。
【０００４】
図９は、２×２の光クロスコネクト４の構成例を示す。図において、光サーキュレータ４１−１と光サーキュレータ４１−２の各第２ポートを、２×２光スイッチ４２−１〜４２−９とファイバグレーティング４３−１〜４３−８を交互に介して接続し、光サーキュレータ４１−１の第１ポートおよび第３ポートに入力ポートＩＮ１および出力ポートＯＵＴ１を接続し、光サーキュレータ４１−２の第１ポートおよび第３ポートに入力ポートＩＮ２および出力ポートＯＵＴ２を接続する。
【０００５】
ファイバグレーティングフィルタ４３−１〜４３−８は、それぞれ波長λ１〜λ８を反射し、その他の波長を透過する。また、各２×２光スイッチ４２−１〜４２−９はクロス状態またはバー状態に設定されるが、その組み合わせに応じて光サーキュレータ間に挿入されるファイバグレーティング（反射波長と透過波長の組み合わせ）が決定する。ここでは、２×２光スイッチ４２−１〜４２−８がクロス状態に設定され、２×２光スイッチ４２−９がバー状態に設定され、ファイバグレーティング４３−２，４３−４，４３−６，４３−８が光サーキュレータ間に挿入され、反射波長λ２，λ４，λ６，λ８、透過波長λ１，λ３，λ５，λ７の光クロスコネクトが構成される。
【０００６】
図９の構成では、入力ポートＩＮ１から入力した波長λ１〜λ８の光パスのうち、波長λ２，λ４，λ６，λ８の光パスが反射して出力ポートＯＵＴ１から出力され、他の波長の光パスが出力ポートＯＵＴ２から出力される。同様に、入力ポートＩＮ２から入力した波長λ１〜λ８の光パスのうち、波長λ２，λ４，λ６，λ８の光パスが反射して出力ポートＯＵＴ２から出力され、他の波長の光パスが出力ポートＯＵＴ１から出力される。したがって、入力ポートＩＮ１から入力の光パスに「Ａ」、入力ポートＩＮ２から入力の光パスに「Ｂ」を付けて表示すると、出力ポートＯＵＴ１，ＯＵＴ２にはそれぞれ図中表示の光パスが出力される。
【０００７】
ここで、「光パス中に存在するファイバグレーティングフィルタ」とは、光信号波長が反射するファイバグレーティングフィルタである。例えば図９の構成において、入力ポートＩＮ１から入力の波長Ａλ２の光パスは、ファイバグレーティングフィルタ４３−２で反射して出力ポートＯＵＴ１から出力されるので、「光パス中にファイバグレーティングフィルタが存在する」となる。一方、入力ポートＩＮ１から入力の波長Ａλ３の光パスは、ファイバグレーティングフィルタ４３−１〜４３−８をバイパスあるいは透過して出力ポートＯＵＴ２から出力されるので、この光クロスコネクトにおいては「光パス中にファイバグレーティングフィルタが存在しない」ことになる。
【０００８】
ところで、光クロスコネクトの再構成では、２×２光スイッチの状態を切り替えることにより、反射波長と透過波長の組み合わせを変化させることができる。例えば、入力ポートＩＮ１から入力して出力ポートＯＵＴ２へ出力していた波長λ３の光パスについて、反射波長λ３のファイバグレーティング４３−３で反射して出力ポートＯＵＴ１へ出力されるように、各２×２光スイッチを設定することにより、光パスの経路変更が可能となる。このとき「光パス中に存在するファイバグレーティングフィルタ」は１個増えることになる。この光パスの経路変更に伴い、光パス中に存在するファイバグレーティングフィルタの増減が以下に示す問題を引き起こす。
【０００９】
ファイバグレーティングフィルタは、反射特性に対して理想的なほぼ矩形の振幅特性を有するが、帯域内で非常に大きな分散をもつことが指摘されている（文献：G.Nykolak et al.,"Dispersion Penalty Measurements of Narrow Fiber Bragg Gratings at 10Gbit/s, IEEE PTL, vol.10, no.9, 1998) 。なお、同文献には、反射信号に対する分散特性が透過信号に対する分散特性に比べて十分に大きいことが示されており、ここでは反射帯域内における信号波長と反射波長のずれに伴う波長分散を問題にする。
【００１０】
図１０は、３dB帯域0.57nmのファイバグレーティングフィルタの波長分散特性および反射特性を示す。横軸は信号波長とファイバグレーティングフィルタの反射中心波長のずれを示し、左縦軸は分散値、右縦軸は反射率を示す。実線は１段接続時、破線は８段接続時の各特性を示す。図１０に示すように、１段接続時において、中心波長で25ps/nm 、３dB帯域内で−200 〜200ps/nm  の波長分散をもつことがわかる。また、８段接続時には、中心波長で200ps/nm、0.43nmに狭窄化された３dB帯域内で−600 〜1000ps/nm の波長分散をもつことがわかる。
【００１１】
この特性から、信号波長とファイバグレーティングフィルタの反射中心波長がずれると、ファイバグレーティングフィルタの波長分散が無視できない値になることがわかる。したがって、長距離ＷＤＭメッシュネットワークにおいても、光パス中に存在するファイバグレーティングフィルタの波長分散は無視できず、この波長分散は光ファイバ伝送路の波長分散と同様に、光ファイバの非線形光学効果との複合要因によって顕著な波形劣化を生じさせることになる。
【００１２】
【発明が解決しようとする課題】
従来は、上述したように光ファイバ伝送路の波長分散や分散スロープに対する分散補償方法のみであり、光クロスコネクトに用いられるファイバグレーティングフィルタの波長分散に起因する伝送特性劣化は考慮されず、それに対する補償方法についても検討されてこなかった。
【００１３】
なお、光パス中に存在するファイバグレーティングフィルタの波長分散について、上述した光ファイバの波長分散と同様に扱い、光受信器の前段で光ファイバの累積分散とともに分散補償ファイバ等により補償する方法も考えられるが、光パスの変更に柔軟に対応できない問題がある。これは、図８に示すように、障害等により光パス変更（光パス再設定）が生じると、光パス中のファイバグレーティングフィルタの位置および個数が変化し、光受信器の前段で補償すべき分散補償量もその都度変化するためである。
【００１４】
本発明は、光クロスコネクトを介してメッシュ状に接続した光ファイバ伝送路の障害等により光パスの再設定を可能とするＷＤＭメッシュネットワークにおいて、光パス中に存在する光フィルタの波長分散に起因する伝送特性劣化を自動的に改善する光ネットワークシステムおよびその分散補償制御方法を提供することを目的とする。
【００１５】
【課題を解決するための手段】
本発明は、対向する波長多重光送信器および波長多重光受信器が光ファイバ伝送路および複数の光クロスコネクトを介してメッシュ状に接続され、光クロスコネクトが波長に応じた光パスを設定する光フィルタを備えた構成であり、設定経路中の光ファイバ伝送路に障害が発生したときに、光パス（波長）の再設定により障害箇所を回避する経路に切り替える光ネットワークシステムにおいて、複数の光クロスコネクトのすべての光フィルタの入力波長に対する波長分散値を示す波長分散特性テーブルと、光パス中に存在する光フィルタを認識する手段とを有し、波長分散特性テーブルを参照して光パス中に存在する光フィルタの波長分散値を求め、それを相殺する分散補償量を算出する光フィルタ監視装置と、波長多重光受信器の各波長対応の光受信器の前段に挿入され、所定の波長分散値の設定が可能な可変分散補償器と、光フィルタ監視装置で算出された分散補償量に応じた波長分散を可変分散補償器に設定し、光パスの再設定により光パス中に存在する光フィルタが変化したときにその光フィルタによる波長分散を自動的に補償する分散補償量制御装置とを備える（請求項１）。
【００１６】
本発明の光ネットワークシステムは、さらに光受信器の受信光信号の波長を検出し、その波長情報を光フィルタ監視装置に通知する波長計を備え、光フィルタ監視装置は、波長情報に基づいて波長分散特性テーブルを参照し、光パス中に存在する光フィルタの波長分散値を求め、それを相殺する分散補償量を算出する構成である（請求項２）。
【００１７】
光クロスコネクトは、光フィルタとして所定の波長の光を反射する少なくとも１つのファイバグレーティングフィルタを備える（請求項３）。
【００１８】
可変分散補償器は、熱的に分散補償量を変化させるチャープドファイバグレーティングフィルタを用いた構成である（請求項４）。
【００１９】
また、本発明は、光ネットワークシステムの分散補償制御方法として、光パス中に存在する光フィルタを認識し、光パス中に存在する光フィルタに対する波長分散特性テーブルを参照してその波長分散値を求め、それを相殺する分散補償量を算出し、分散補償量に基づいて受信光信号の分散補償を行い、光パス中に存在する光フィルタの波長分散によって生じた波形劣化を補償する（請求項５）。
【００２０】
【発明の実施の形態】
図１は、本発明の光ネットワークシステムの実施形態を示す。ここでは、図８に示すＷＤＭメッシュネットワークで設定された１つの光パスについて示す。すなわち、波長多重光送信器１の１つの光送信器１１から送信された光信号は合波器１２を介して出力され、光ファイバ伝送路３および複数の光クロスコネクト（ＯＸＣ）４を介して波長多重光受信器２に入力し、分波器２１を介して１つの光受信器２２に受信される。
【００２１】
本実施形態の特徴は、光パス中に存在するファイバグレーティングフィルタＦＢＧによる波長分散を補償するために、波長多重光受信器２側に、光フィルタ監視装置２３、光カプラ２４、波長計２５、可変分散補償器２６、分散補償量制御装置２７を備えるところにある。光カプラ２４および可変分散補償器２６は光受信器２２の前段に挿入され、光カプラ２４で分岐した受信光信号の一部は波長計２５に入力される。
【００２２】
光フィルタ監視装置２３は、光パス中に存在するファイバグレーティングフィルタＦＢＧの種類と個数を監視する。そのために、例えばサブキャリア変調方式などを用いて光パスと同ルートで転送可能な監視信号を用い、各光クロスコネクトから反射するファイバグレーティングフィルタＦＢＧの種類と個数の情報を主信号に重畳するようにする。ただし、監視信号の転送方式についてはサブキャリア変調方式などに限定されるものではなく、光ネットワークを監視する別の監視システムに組み込んでもよい。例えば、光パスを再設定する際に、各光クロスコネクト内のファイバグレーティングフィルタの接続構成が一元的に決まるので、特別な監視信号を用いなくても、予め光フィルタ監視装置２３に各光クロスコネクト内のファイバグレーティングフィルタの接続構成を記憶させておけば、光パス中に存在するファイバグレーティングフィルタを認識することができる。
【００２３】
また、光フィルタ監視装置２３は、ＷＤＭメッシュネットワークに存在するすべてのファイバグレーティングフィルタＦＢＧについて、あらかじめ個々に測定しておいた入力波長に対する波長分散値を示す波長分散特性テーブルを備える。ファイバグレーティングフィルタＸの波長分散特性テーブルの一例を表１に示す。
【００２４】
【表１】
0003704490.tif 000002
【００２５】
波長計２５は、受信光信号の波長を検出して光フィルタ監視装置２３に通知する。光フィルタ監視装置２３は、波長計２５で得た受信波長情報をもとに、光パス中に存在するファイバグレーティングフィルタに対する波長分散特性テーブルを参照してその波長分散値を求め、それを相殺する分散補償量を算出する。ここで算出された分散補償量は分散補償量制御装置２７に通知される。分散補償制御装置２７は、この分散補償量を可変分散補償器２６がもつように制御する。
【００２６】
以上の構成および手順により、光パスが再設定され、光パス中に存在するファイバグレーティングの個数および種類が変化しても、本発明の光ネットワークシステムはそれを自動的に認識することができ、かつ補償すべき分散補償量を自動的に決定して分散補償することができる。ここで、可変分散補償器２６としてチャープドファイバグレーティングを用いた場合について、図２および図３を参照して具体的に説明する。
【００２７】
図２に示す光受信器２２、光フィルタ監視装置２３、光カプラ２４、波長計２５、分散補償量制御装置２７は、図１に示す各部に対応するものであり、ここでは可変分散補償器２６として、熱的に分散補償量を変化させるチャープドファイバグレーティング２８を用い、光サーキュレータ２９を介して光受信器２２の前段に挿入する構成を示す。チャープドファイバグレーティング２８は、ファイバグレーティングに併設したペルチェ素子の電流値を変化させて発熱量を調整することにより、−500ps/nm〜−2500ps/nm の範囲で連続した分散値の変化が可能な素子である（文献："Integrated Tunable Fiber Gratings for Dispersion Management in High-Bit Rate Systems", IEEE JLT, vol.18, no.10, 2000)。
【００２８】
なお、正の分散が必要な場合には、＋1000ps/nm 程度の分散補償ファイバを組み合わせることにより、負の分散から正の分散まで連続的に変化させることができる。また、複数のチャープドファイバグレーティング２８を用いることにより、さらに大きな分散値の変化が可能であり、後述する本発明の有効範囲を十分にカバーすることができる。
【００２９】
図３は、本発明の分散補償制御方法の処理手順の一例を示す。ここでは、図２に示す構成に対応付けて説明する。▲１▼光フィルタ監視装置２３は、光パス中に存在するファイバグレーティングフィルタの種類と個数（光フィルタ情報）を監視する。▲２▼波長計２５は、受信光信号の波長を検出して光フィルタ監視装置２３に通知する。▲３▼光フィルタ監視装置２３は、波長計２５で得た受信波長情報をもとに、光パス中に存在するファイバグレーティングフィルタの波長分散特性テーブルを参照してその波長分散値を求め、それを相殺する分散補償量を算出する。
【００３０】
▲４▼分散補償制御装置２７は、光フィルタ監視装置２３で得られた分散補償量に基づいて、チャープドファイバグレーティング２８に印加する制御電流ｉを設定する。▲５▼チャープドファイバグレーティング２８は、この制御電流ｉによりヒートアップされ、対応する波長分散を得る。▲６▼光サーキュレータ２９を介してチャープドファイバグレーティング２８に入力された光信号は、設定された波長分散を有するチャープドファイバグレーティング２８で反射し、分散補償される。▲７▼分散補償された反射光信号は、再び光サーキュレータ２９を介して光受信器２２に受信される。このときの光信号は、光パス中に存在するファイバグレーティングフィルタの波長分散によって生じた波形劣化が補償されている。
【００３１】
これにより、光ファイバ伝送路の障害等により光パスを再設定した場合でも、光パス中に存在するファイバグレーティングフィルタの波長分散に起因する伝送特性劣化を自動的に改善する光ネットワークシステムが実現する。
【００３２】
＜本願発明システムの評価系＞
本願発明の光ネットワークシステムについて、光パス中のファイバグレーティングフィルタが８段接続された評価系を構成し、10Ｇbit/s ×８ＷＤＭ4,256km 周回伝送実験により伝送特性（電気ＳＮＲ）を測定した実験結果について説明する。なお、ここでは、光フィルタ監視装置２３から分散補償量制御装置２７への制御、および分散補償量制御装置２７から可変分散補償器２６への制御等の一連の制御は、マニュアルで行うものとした。また、可変分散補償器２６としては、補償量の異なる分散補償ファイバを組み合わせて使用するものとした。使用するファイバグレーティングフィルタの波長分散特性および反射特性は、図１０のものを使用した。送信信号は、10Ｇbit/s のＮＲＺ符号で強度変調された８波のＷＤＭ信号（1549.2〜1554.94 ｎｍ、波長間隔 0.8ｎｍ）とした。
【００３３】
図４は、本発明システムの評価系の構成例を示す。図４おいて、光サーキュレータ４１の第１ポートと第３ポートを 532ｋｍの周回ループ（図示せず）を介して接続し、第２ポートにｃｈ６に対するファイバグレーティングフィルタ４３を接続する。周回ループは、50ｋｍスパンの−1.2ps/nm/km 分散シフトファイバと、分散補償用シングルモードファイバと、光出力６dBｍの光ファイバ増幅器と、光等化器から構成され、平均零分散波長は 1551.32ｎｍである。光サーキュレータ４１の第１ポートにｃｈ１〜８の８波を入力し、第２ポートにファイバグレーティングフィルタ４３を介してｃｈ１〜８の８波を入力すると、ｃｈ６について周回ループを８周する約4200ｋｍ伝送路中に８個のファイバグレーティングフィルタ４３が周期的に配置されることになる。光受信器では、光フィルタによりｃｈ６を波長選択した後に分散補償ファイバにより分散補償した。
【００３４】
図５は、ファイバグレーティングフィルタ反射帯域内におけるｃｈ６の電気ＳＮＲ劣化測定結果を示す。ここで、電気ＳＮＲ劣化は、ファイバグレーティングフィルタなしの場合の電気ＳＮＲとの差分とした。ファイバグレーティングフィルタなしの場合の電気ＳＮＲは、光ファイバ伝送路の分散スロープによる累積分散を補償したときのＳＮＲである。このときの補償量は−400ps/nmである。そのため、ファイバグレーティングフィルタを伝送路中に配置した測定では、可変分散補償器を−400ps/nmに固定した場合と、図１０の波長分散特性を相殺するように分散補償量を最適化した場合について評価した。
【００３５】
分散補償量−400ps/nmに固定の場合は、シミュレーションにより求めたファイバグレーティングフィルタの振幅特性のみ考慮したＳＮＲ劣化よりも大きい。これは、ファイバグレーティングの分散と光ファイバの非線形光学効果との複合効果による波形劣化により、ＳＮＲが劣化したためと考えられる。受信端の分散補償量を図１０の波長分散特性を相殺するように最適とした場合には、ほぼ振幅特性のみ考慮したＳＮＲのレベルまで改善ができた。最適分散補償量は、図５に示すように正の累積分散を 100〜600ps/nm残留させて補償したときであった。これにより、本発明では若干正の分散を残留させて補償する方が良好な伝送特性が得られることがわかる。
【００３６】
次に、本発明の有効範囲について示す。図６は、ファイバグレーティングフィルタの累積分散とＳＮＲ劣化の関係をシミュレーションにより求めた結果を示す。また、同図には図５から求めた実験結果も示す。ファイバグレーティングフィルタを分散媒質として扱い、4200ｋｍ伝送路において、ファイバグレーティングフィルタが分布的に存在する場合（□）、８個のファイバグレーティングフィルタが周期的に配置される場合（○）、１個のファイバグレーティングフィルタが送信端に集中的に配置される場合（△）について検討した。なお、光ファイバ伝送路およびファイバグレーティングフィルタの分散スロープは無視した。他の条件は上記実験と同様である。
【００３７】
８個のファイバグレーティングフィルタが周期的に配置される場合は、分布的に存在する場合とほぼＳＮＲ劣化が等しく、その有効範囲はＳＮＲ劣化１dBをリミットとすると、−1300ps/nm 〜2400ps/nm となった。これは、実験結果とも一致する。また、１個のファイバグレーティングフィルタが送信端に配置されるときが最もＳＮＲ劣化が顕著であり、その有効範囲は−500ps/nm〜1200ps/nm となった。
【００３８】
図７は、光パス長を6400ｋｍとし、ファイバグレーティングフィルタによる累積分散とＳＮＲ劣化の関係をシミュレーションおよび実験に求めた結果を示す。条件は図６のシミュレーションと同様であるが、光パス長が長延化したことにより、伝送路中のファイバグレーティングフィルタの個数は12個とした。光パス長が6400ｋｍの場合でも、本発明はファイバグレーティングフィルタの波長分散に起因する伝送特性劣化を補償することができる。その有効範囲は、12個のファイバグレーティングフィルタが周期的に配置される場合で−1300ps/nm 〜2400ps/nm となり、最悪条件である１個のファイバグレーティングフィルタが送信端に配置されるときは−500ps/nm〜1200ps/nm となった。
【００３９】
【発明の効果】
以上説明したように、本発明の光ネットワークシステムおよび分散補償制御方法は、光パス中に存在する光フィルタ（ファイバグレーティングフィルタ）を把握し、対応する波長分散特性テーブルを参照してその波長分散を求め、それを相殺する分散補償量を算出して分散補償を行うことができる。したがって、光パスの設定変更があった場合でも、その光パス中に存在する光フィルタの波長分散に起因する伝送特性劣化を自動的に改善することができる。
【図面の簡単な説明】
【図１】本発明の光ネットワークシステムの実施形態を示すブロック図。
【図２】可変分散補償器にチャープドファイバグレーティングを用いた自動分散補償構成例を示す図。
【図３】本発明の分散補償制御方法の処理手順の一例を示すフローチャート。
【図４】本発明システムの評価系の構成例を示す図。
【図５】ｃｈ６の電気ＳＮＲ劣化測定結果を示す図。
【図６】ファイバグレーティングフィルタの累積分散とＳＮＲ劣化の関係を示す図。
【図７】ファイバグレーティングフィルタの累積分散とＳＮＲ劣化の関係を示す図。
【図８】ＷＤＭメッシュネットワークの構成例を示す図。
【図９】２×２の光クロスコネクト４の構成例を示す図。
【図１０】ファイバグレーティングフィルタの波長分散特性および反射特性を示す図。
【符号の説明】
１    波長多重光送信器
２    波長多重光受信器
３    光ファイバ伝送路
４    光クロスコネクト（ＯＸＣ）
１１  光送信器
１２  合波器
２１  分波器
２２  光受信器
２３  光フィルタ監視装置
２４  光カプラ
２５  波長計
２６  可変分散補償器
２７  分散補償量制御装置
２８  チャープドファイバグレーティング
２９  光サーキュレータ
４１  光サーキュレータ
４２  ２×２光スイッチ
４３  ファイバグレーティングフィルタ（ＦＢＧ）
【図１】
0003704490.tif 000003
【図２】
0003704490.tif 000004
【図３】
0003704490.tif 000005
【図４】
0003704490.tif 000006
【図５】
0003704490.tif 000007
【図６】
0003704490.tif 000008
【図７】
0003704490.tif 000009
【図８】
0003704490.tif 000010
【図９】
0003704490.tif 000011
【図１０】
0003704490.tif 000012